(57)【特許請求の範囲】
【請求項１】
装置が提供する機能ごとにネットワークアドレスが設定された情報処理装置であって、
複数のネットワークアドレスの内、少なくとも一つのネットワークアドレスを残し、前記残したネットワークアドレス以外の他の複数のネットワークアドレスを他の情報処理装置に譲渡する譲渡手段と、
前記譲渡手段による前記譲渡が行われたのち、省電力状態に移行する省電力状態移行手段と、
前記省電力状態移行手段による前記省電力状態への移行が行われたのち、前記他の情報処理装置より前記残したネットワークアドレス宛てのアクセスデータを受け取った場合、前記省電力状態から通常状態に復帰する復帰手段と、
を有し、
前記譲渡手段は、前記他の複数のネットワークアドレスを前記他の情報処理装置に譲渡する際に、前記他の複数のネットワークアドレスの内、前記他の情報処理装置がホストからアクセスされた場合に譲渡元である前記情報処理装置を復帰させることを示す復帰フラグがセットされているネットワークアドレスと、前記他の情報処理装置がホストからアクセスされた場合に譲渡元である前記情報処理装置を復帰させずに前記他の情報処理装置によって応答することを示す復帰フラグがセットされていないネットワークアドレスと、復帰アドレスとして前記残したネットワークアドレスと、を前記他の情報処理装置に通知する情報処理装置。
【請求項２】
前記省電力状態移行手段は、前記他の情報処理装置より前記残したネットワークアドレス宛てのアクセスデータを受け取った場合、前記省電力状態から通常状態に復帰できるようにネットワーク設定を行い、省電力状態に移行する請求項１記載の情報処理装置。
【請求項３】
前記譲渡手段は、前記他の複数のネットワークアドレスを前記他の情報処理装置に譲渡する際に、保持している前記他の複数のネットワークアドレスの使用フラグに使用中ではないことを示す情報をセットする請求項１又は２記載の情報処理装置。
【請求項４】
装置が提供する機能ごとにネットワークアドレスが設定された情報処理装置における情報処理方法であって、
複数のネットワークアドレスの内、少なくとも一つのネットワークアドレスを残し、前記残したネットワークアドレス以外の他の複数のネットワークアドレスを他の情報処理装置に譲渡する譲渡ステップと、
前記譲渡ステップによる前記譲渡が行われたのち、省電力状態に移行する省電力状態移行ステップと、
前記省電力状態移行ステップによる前記省電力状態への移行が行われたのち、前記他の情報処理装置より前記残したネットワークアドレス宛てのアクセスデータを受け取った場合、前記省電力状態から通常状態に復帰する復帰ステップと、
を含み、
前記譲渡ステップでは、前記他の複数のネットワークアドレスを前記他の情報処理装置に譲渡する際に、前記他の複数のネットワークアドレスの内、前記他の情報処理装置がホストからアクセスされた場合に譲渡元である前記情報処理装置を復帰させることを示す復帰フラグがセットされているネットワークアドレスと、前記他の情報処理装置がホストからアクセスされた場合に譲渡元である前記情報処理装置を復帰させずに前記他の情報処理装置によって応答することを示す復帰フラグがセットされていないネットワークアドレスと、復帰アドレスとして前記残したネットワークアドレスと、を前記他の情報処理装置に通知する情報処理方法。
【請求項５】
コンピュータが提供する機能ごとにネットワークアドレスが設定されたコンピュータに、
複数のネットワークアドレスの内、少なくとも一つのネットワークアドレスを残し、前記残したネットワークアドレス以外の他の複数のネットワークアドレスを他の情報処理装置に譲渡する譲渡ステップと、
前記譲渡ステップによる前記譲渡が行われたのち、省電力状態に移行する省電力状態移行ステップと、
前記省電力状態移行ステップによる前記省電力状態への移行が行われたのち、前記他の情報処理装置より前記残したネットワークアドレス宛てのアクセスデータを受け取った場合、前記省電力状態から通常状態に復帰する復帰ステップと、
を実行させ、
前記譲渡ステップでは、前記他の複数のネットワークアドレスを前記他の情報処理装置に譲渡する際に、前記他の複数のネットワークアドレスの内、前記他の情報処理装置がホストからアクセスされた場合に譲渡元である前記情報処理装置を復帰させることを示す復帰フラグがセットされているネットワークアドレスと、前記他の情報処理装置がホストからアクセスされた場合に譲渡元である前記情報処理装置を復帰させずに前記他の情報処理装置によって応答することを示す復帰フラグがセットされていないネットワークアドレスと、復帰アドレスとして前記残したネットワークアドレスと、を前記他の情報処理装置に通知するプログラム。
【発明の詳細な説明】
【技術分野】
【０００１】
本発明は、情報処理装置及び情報処理方法に関する。
【背景技術】
【０００２】
（ＩＰｖ６）
近年のネットワーク技術の進歩は著しく、現在ではファクシミリ装置やプリンタ、複写機、イメージスキャナのようなオフィス機器の多くがネットワークで接続されるようになっている。
これらの機器がネットワーク通信する場合に最も使用されるプロトコルはＩｎｔｅｒｎｅｔ  Ｐｒｏｔｏｃｏｌ（ＩＰ）である。その中でもＩＰｖ４  が一番普及しているが、ＩＰアドレスの枯渇の問題や、セキュリティ強化の観点からＩＰｖ６  が徐々に普及し始めている。
【０００３】
ＩＰｖ６  になることで、ＩＰアドレスが大幅に増えるため、一つの装置に一つのアドレスを割り当てるというやり方から、一つの装置に複数のアドレスを割り当て、装置の提供するサービスごとにアドレスを設定する仕組みが可能になっている。
【０００４】
（省電力）
一方で、近年、全世界的に環境問題が重要視され、電化製品の消費電力に関する規定が厳しくなってきている。
このため、市場に出る電化製品は、省電力機能を持つことが必須となっている。省電力機能とは、ユーザが使用していない間、一部の機能を停止させたり、動作速度を低下させることで消費電力を低減し、ユーザが再度操作を行ったり、外部から要求があると通常動作に戻る機能である。
【０００５】
この外部からの要求としては、ユーザによる操作や、時刻指定による自動動作等がある（例えば特許文献１参照）。また、ネットワークに接続された装置の場合、ネットワーク経由で、他のＰＣや装置から状態確認や動作要求が来る。
【０００６】
状態確認の例は以下
・ｐｉｎｇコマンドで送受信されるＩｎｔｅｒｎｅｔ  Ｃｏｎｔｒｏｌ  Ｍｅｓｓａｇｅ  Ｐｒｏｔｏｃｏｌ（ＩＣＭＰ）によるＯＳＩモデルのネットワーク層レベルでの存在確認
・Ｓｅｒｖｉｃｅ  Ｌｏｃａｔｉｏｎ  Ｐｒｏｔｏｃｏｌ（ＳＬＰ）によって問い合わせが行われるネットワークサービスの問い合わせ
・Ｗｅｂ  Ｓｅｒｖｉｃｅｓ  ｏｎ  Ｄｅｖｉｃｅｓ（ＷＳＤ）によるデバイス設定の問い合わせ
・Ｓｉｍｐｌｅ  Ｎｅｔｗｏｒｋ  Ｍａｎａｇｅｍｅｎｔ  Ｐｒｏｔｏｃｏｌ（ＳＮＭＰ）によるネットワーク機器が有する機器情報のデータベース（ＭＩＢ：  Ｍａｎａｇｅｍｅｎｔ  Ｉｎｆｏｒｍａｔｉｏｎ  Ｂａｓｅ）の問い合わせ
である。
【０００７】
このような状態確認の問い合わせや動作要求が来た場合に装置が省電力状態から復帰して通常状態に戻るためにネットワークコントローラに登録した特定のネットワークデータ（パケット）を受信した際、装置全体にリセット信号を発行させることができる。
【０００８】
【特許文献１】特開２００７−３０１８４１号公報
【発明の開示】
【発明が解決しようとする課題】
【０００９】
しかしながら、ネットワークプリンタのように、定期的にＰＣから状態確認が行われるような場合では、そのたびに一旦通常動作状態に切り替わり、また省電力状態に戻るという動作を繰り返すことになる。
つまり、省電力機能を有する装置であっても、ネットワーク経由で定期的にアクセスされるような環境では、真の低消費電力は実現できていない。
また、ＬＡＮＣに設定できるパケットのパターンはせいぜい数個に限られており、今後、状態確認の問い合わせの種類が増えていった場合、消費電力を低減しつつ、それらの全ての問い合わせに対して応答するのは困難になってきている。
【００１０】
本発明はこのような問題点に鑑みなされたもので、省電力状態を維持しつつ、状態確認等の問い合わせに対しても応答可能な仕組みを提供することを目的とする。
【課題を解決するための手段】
【００１１】
そこで、本発明の情報処理装置は、装置が提供する機能ごとにネットワークアドレスが設定された情報処理装置であって、複数のネットワークアドレスの内、少なくとも一つのネットワークアドレスを残し、前記残したネットワークアドレス以外の他の複数のネットワークアドレスを他の情報処理装置に譲渡する譲渡手段と、前記譲渡手段による前記譲渡が行われたのち、省電力状態に移行する省電力状態移行手段と、前記省電力状態移行手段による前記省電力状態への移行が行われたのち、前記他の情報処理装置より前記残したネットワークアドレス宛てのアクセスデータを受け取った場合、前記省電力状態から通常状態に復帰する復帰手段と、を有し、前記譲渡手段は、前記他の複数のネットワークアドレスを前記他の情報処理装置に譲渡する際に、前記他の複数のネットワークアドレスの内、前記他の情報処理装置がホストからアクセスされた場合に譲渡元である前記情報処理装置を復帰させることを示す復帰フラグがセットされているネットワークアドレスと、前記他の情報処理装置がホストからアクセスされた場合に譲渡元である前記情報処理装置を復帰させずに前記他の情報処理装置によって応答することを示す復帰フラグがセットされていないネットワークアドレスと、復帰アドレスとして前記残したネットワークアドレスと、を前記他の情報処理装置に通知する。
【発明の効果】
【００１５】
本発明によれば、省電力状態を維持しつつ、状態確認等の問い合わせに対しても応答可能な仕組みを提供することができる。
【発明を実施するための最良の形態】
【００１６】
以下、本発明の実施形態について図面に基づいて説明する。
【００１７】
＜実施形態１＞
図１は、本実施形態に係る情報処理システムのシステム構成の一例を示す図である。
第一の情報処理装置（コンピュータ）の一例であるプリンタ１００１と、第二の情報処理装置（コンピュータ）の一例であるプリンタ１００２と、ホスト１００３と、はＬＡＮ２０１１に接続され、相互に通信可能である。
【００１８】
（ハードブロック図）
図２は、プリンタ１００１及びプリンタ１００２のハードウェア構成の一例を示す図である。
Ｃｏｎｔｒｏｌｌｅｒ  Ｕｎｉｔ２０００は、画像出力デバイスであるプリンタ２０９５と接続し、一方ではＬＡＮ２０１１と接続することで、画像情報やデバイス情報の入出力を行う為のコントローラである。ＣＰＵ２００１は、システム全体を制御するコントローラである。ＲＡＭ２００２は、ＣＰＵ２００１が動作するためのシステムワークメモリであり、画像データを一時記憶するための画像メモリでもある。ＲＯＭ２００３は、ブートＲＯＭであり、システムのブートプログラムが格納されている。ＨＤＤ２００４は、ハードディスクドライブ及びＩＤＥコントローラからなり、システムソフトウェア、画像データ及びそれらの管理情報を格納する。操作部Ｉ／Ｆ２００６は、操作部（ＵＩ）２０１２のインターフェース部で、操作部２０１２に表示する画像データを操作部２０１２に対して出力する。また、操作部Ｉ／Ｆ２００６は、操作部２０１２から本システム使用者が入力した情報を、ＣＰＵ２００１に伝える役割をする。Ｎｅｔｗｏｒｋ２０１０は、ＬＡＮ２０１１に接続し、情報の入出力を行う。以上のデバイスがシステムバス２００７上に配置される。
【００１９】
Ｉｍａｇｅ  Ｂｕｓ  Ｉ／Ｆ２００５は、システムバス２００７と画像データを高速で転送する画像バス２００８とを接続し、データ構造を変換するバスブリッジである。画像バス２００８は、ＰＣＩバス又はＩＥＥＥ１３９４で構成される。画像バス２００８上には以下のデバイスが配置される。デバイスＩ／Ｆ２０２０は、プリンタ２０９５とＣｏｎｔｒｏｌｌｅｒ  Ｕｎｉｔ２０００とを接続し、画像データの同期系／非同期系の変換を行う。プリンタ画像処理部２０９０は、プリント出力画像データに対して、プリンタの補正、解像度変換等を行う。
【００２０】
（従来例）
図３は、プリンタ１００１のスリープ状態への移行時の従来の動作例を説明するための図である。
まずプリンタ１００１は、スリープ状態（省電力状態）に移行できるかどうか確認し（６００１）、条件が整っていた場合、スリープ状態に移行する（６００２）。
スリープ状態移行後にホスト１００３からプリンタ１００１へ状態確認の通信が行われた場合（６０１０）、プリンタ１００１はスリープ状態から復帰し（６０１１）、通常動作状態に戻った上で、必要な情報をホスト１００３に送信する（６０１２）。送信後、プリンタ１００１は、６００１、６００２の処理に従ってスリープ状態に入る。
【００２１】
スリープ状態移行後にホスト１００３からプリント要求が送信された場合（６０２０）、プリンタ１００１は、スリープ状態から復帰し（６０２１）、通常動作状態に戻った上でホスト１００３に応答する（６０２２）。そして、プリンタ１００１は、ホスト１００３からデータを受信し（６０２３）、プリントを行う（６０２４）。プリント後、プリンタ１００１は、６００１、６００２の処理に従ってスリープ状態に入る。
この従来例では、ホスト１００３から送られてくるデータが状態確認であれ、プリント要求であれ、プリンタ１００１はスリープ状態から通常状態への復帰動作を行い、終了後にまたスリープ状態に入る。
よって、ホストが多数ある環境等、ホストからプリンタ１００１への問い合わせが頻繁に発生する環境では、プリンタ１００１は、度々スリープ状態から復帰することになってしまう。
【００２２】
（スリープ状態移行動作）
図４は、本実施形態に係る情報処理システムにおけるプリンタ１００１のスリープ状態への移行時の動作例を説明するための図である。
まずプリンタ１００１は、スリープ状態（省電力状態）に移行できるかどうか確認する（３００１）。スリープ状態に移行できる条件が整っていた場合、プリンタ１００１は、予め指定しておいたプリンタ１００２に対して、複数のネットワークアドレスの内、少なくとも一つのネットワークアドレスを残し、他のネットワークアドレスの譲渡を依頼する（３００２）。なお、プリンタ１００１は、残しておいたネットワークアドレスを後述するテーブルの復帰アドレスとしてプリンタ１００２に対して通知する。
【００２３】
アドレス譲渡前のプリンタ１００１、プリンタ１００２のアドレステーブルは、それぞれ図５の（ａ）及び図５の（ｂ）である。ＩＤは機能を表しており、ここでは仮に、ＩＤ＝１をスリープ復帰用、ＩＤ＝５、６を各種状態確認用、ＩＤ＝９をプリント用とする。ＩＤ＝５、６、９のネットワークアドレス（以下、アドレスという）は、スリープ状態移行時に譲渡の対象となるため、譲渡Ｆｌａｇがセットされている。全てのアドレスは使用中なので使用Ｆｌａｇがセットされている。また、アドレスを譲渡された状態でホスト１００３からアクセスされた場合に譲渡元（プリンタ１００１）を復帰する必要があるかどうかを示す復帰ＦｌａｇがＩＤ＝９のアドレスにはセットされている。
【００２４】
アドレス譲渡後のアドレステーブルはそれぞれ図６の（ａ）及び図６の（ｂ）となる。プリンタ１００１のテーブル（図６の（ａ））では、譲渡したアドレスの使用Ｆｌａｇがプリンタ１００１によってリセットされる。これら譲渡したアドレスはプリンタ１００２によって、プリンタ１００２のテーブル（図６の（ｂ））上に追加されると共に、更に他の機器に譲渡しないように譲渡Ｆｌａｇがリセットされる。また、復帰ＦｌａｇがセットされているＩＤ＝９のアドレスに関しては復帰時に使用するアドレスとして復帰アドレスにプリンタ１００１のスリープ状態から通常状態への復帰用のアドレス（ＩＤ＝１）がプリンタ１００２によって記録される。
【００２５】
ここで、上述したアドレスの譲渡に係る処理を、図５及び図６を用いてより具体的に説明する。スリープ状態に移行できる条件が整っていた場合、プリンタ１００１は、図５の（ａ）のテーブルの譲渡Ｆｌａｇを参照し、ＩＤ＝１のアドレスを残し、ＩＤ＝５、６、９のアドレスをプリンタ１００２に譲渡するものとする。次に、プリンタ１００１は、図５の（ａ）のテーブルの復帰Ｆｌａｇを参照し、復帰Ｆｌａｇがセットされているアドレスを特定する。図５の（ａ）のテーブルの場合、ＩＤ＝９のアドレスに復帰Ｆｌａｇがセットされている。そのためプリンタ１００１は、譲渡するアドレスとしてＩＤ＝５、６、９のアドレスをプリンタ１００２に送信すると共にＩＤ＝９のアドレスに復帰Ｆｌａｇがセットされていること及びプリンタ１００１に残したＩＤ＝１のアドレスをプリンタ１００２に送信（通知）する。
なお、プリンタ１００１は、図５（ａ）のテーブルの項目及び設定されているＦｌａｇの情報（つまり、ネットワーク設定）を、プリンタ１００２に転送するようにしてもよい。
【００２６】
プリンタ１００２は、プリンタ１００１からこれらの情報を受理すると（受け取ると）、情報を受け取った旨の応答（確認）をプリンタ１００１に返す（３００３）。アドレスの譲渡が完了すると、プリンタ１００１はＩＤ＝１のアドレスへのアクセスがあった場合に機器がスリープ状態から復帰できるようにネットワーク設定を行い（３００４）、そのままスリープ状態に移行する（省電力状態移行）（３００６）。プリンタ１００２は、譲渡されたＩＤ＝５、６、９のアドレス宛のデータを受信できるように、ネットワーク設定をする（３００５）。つまり、プリンタ１００２は、図５の（ｂ）のようなテーブルから、図６の（ｂ）のようなテーブルへと、設定を変更する。
【００２７】
（アドレス譲渡中の状態確認）
図７は、プリンタ１００１がアドレスの譲渡を完了してスリープ状態に移行し、プリンタ１００２が譲渡されたアドレスへ応答できる状態で、ホスト１００３から状態確認のアクセスがあった場合の動作を説明するための図である。
ホスト１００３がプリンタ１００１の状態確認用アドレス（ＩＤ＝５、６）へのアクセスを行おうとすると、これらのアドレスはプリンタ１００２が保有しているため、プリンタ１００２への通信となる（４００１）。プリンタ１００２は、アクセスのあったアドレスを図６（ｂ）のテーブルから検索し、復帰Ｆｌａｇを参照する。状態確認のアクセスの場合（ＩＤ＝５、６）は、復帰Ｆｌａｇはセットされていないため、プリンタ１００２は、プリンタ１００１に成り代わってホスト１００３にプリンタ１００１の状態を返信する（４００２）。
この間、プリンタ１００１にはアクセスが発生しないため、プリンタ１００１はスリープ状態を継続することができる。
【００２８】
（アドレス譲渡中のプリント要求）
図８は、プリンタ１００１がアドレスの譲渡を完了してスリープ状態に移行し、プリンタ１００２が譲渡されたアドレスへ応答できる状態で、ホスト１００３からプリント要求のアクセスがあった場合の動作を説明するための図である。
ホスト１００３がプリンタ１００１のプリント要求用アドレス（ＩＤ＝９）へのアクセスを行おうとすると、このアドレスはプリンタ１００２が保有しているため、プリンタ１００２への通信となる（５００１）。プリンタ１００２は、アクセスのあったアドレスを図６（ｂ）のテーブルから検索し、復帰Ｆｌａｇを参照する。プリント要求のアクセスの場合（ＩＤ＝９）は復帰Ｆｌａｇがセットされているのでプリンタ１００２は、更にテーブルから復帰アドレスを参照してこのアドレスに対して（ネットワークアドレス宛に）アクセスを行う（アクセスデータを送信する）（５００２）。アクセスデータの中には、プリント要求元のホスト１００３のアドレスや、アクセスの種類（この場合はプリント要求）等の情報が含まれている。アクセスが完了するとプリンタ１００２は、譲渡されていたＩＤ＝５、６、９のアドレス宛のアクセスを受信しないようにネットワークを再設定する（５００３）。
【００２９】
一方スリープ復帰用のアドレスでアクセスを受けたプリンタ１００１は、スリープ復帰動作を行い（５００４）、通常状態に戻ると、プリンタ１００２から送信された情報を基にホスト１００３に応答を返す（５００５）。その後、通常のプリント動作と同様に、プリンタ１００１は、ホスト１００３からプリントデータを受信し（５００６）、プリントを行う（５００７）。
【００３０】
本実施形態では、状態確認用のアドレスとしてＩＤ＝５、６の二つが設定されている例を示した。通常このような状態確認をスリープ時に行えるようにすると、ネットワーク設定する必要があるが、その数は有限であるため応答すべきコマンドを取捨選択する必要がある。一方で本実施形態では、状態確認用アドレスの数に制限はないため、今後予想される状態確認のコマンドの種類の増大に対しても対応可能である。
【００３１】
以上説明したように、本実施形態によれば、情報処理装置の一例であるプリンタが省電力状態に移行する際に、予め登録された他の情報処理装置（プリンタ）にＩＰアドレスを譲渡してから省電力状態に移行する。このようにすることで、他の情報処理装置が代行できる状態確認等の問い合わせのネットワーク通信に関するアクセスが情報処理装置に受信されなくなるため、今まで以上に省電力状態を長く維持できるようになり、消費電力の低減に寄与する。また、問い合わせの種類が増えても、ＬＡＮＣの性能に制限されずに省電力を実現できる。
【００３２】
つまり、上述した実施形態によれば、省電力状態を維持しつつ、状態確認等の問い合わせに対しても応答可能な仕組みを提供することができる。
【００３３】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００３４】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００３５】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００３６】
本発明を前記記憶媒体に適用する場合、その記憶媒体には、先に説明したフローチャートに対応するプログラムコードが格納されることになる。
【００３７】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００３８】
【図１】本実施形態に係る情報処理システムのシステム構成の一例を示す図である。
【図２】プリンタ１００１及びプリンタ１００２のハードウェア構成の一例を示す図である。
【図３】プリンタ１００１のスリープ状態への移行時の従来の動作例を説明するための図である。
【図４】本実施形態に係る情報処理システムにおけるプリンタ１００１のスリープ状態への移行時の動作例を説明するための図である。
【図５】プリンタ１００１、プリンタ１００２のアドレステーブルの一例を示す図（その１）である。
【図６】プリンタ１００１、プリンタ１００２のアドレステーブルの一例を示す図（その２）である。
【図７】プリンタ１００１がアドレスの譲渡を完了してスリープ状態に移行し、プリンタ１００２が譲渡されたアドレスへ応答できる状態で、ホスト１００３から状態確認のアクセスがあった場合の動作を説明するための図である。
【図８】プリンタ１００１がアドレスの譲渡を完了してスリープ状態に移行し、プリンタ１００２が譲渡されたアドレスへ応答できる状態で、ホスト１００３からプリント要求のアクセスがあった場合の動作を説明するための図である。
【符号の説明】
【００３９】
１００１  プリンタ
１００２  プリンタ
１００３  ホスト
【図１】
0005178230.tif 000002
【図２】
0005178230.tif 000003
【図３】
0005178230.tif 000004
【図４】
0005178230.tif 000005
【図５】
0005178230.tif 000006
【図６】
0005178230.tif 000007
【図７】
0005178230.tif 000008
【図８】
0005178230.tif 000009